(57)【特許請求の範囲】
【請求項１】
原稿を読取走査するためのプラテンガラスの画像読取領域上に原稿を自動的に搬送する自動原稿送り装置であって、
前記プラテンガラスの上方の位置で原稿を載置する第１の給紙位置と前記画像読取装置の側方に突出する位置で原稿を載置する第２の給紙位置に移動可能に設けられた1つの原稿台と、
前記第１の給紙位置に位置した該原稿台に載置された原稿を、表裏反転して前記プラテンガラスの画像読取領域上に案内する反転搬送路と、
前記第２の給紙位置に位置した前記原稿台に載置された原稿を、前記反転搬送路の途中に合流して、前記プラテンガラスの画像読取領域上に案内する搬入路と、
前記反転経路から前記プラテンガラスに送られて読取走査が終了した原稿を収納するための第１の収納位置と前記搬入路から前記プラテンガラスに送られて読取走査が終了した原稿を収納するための第２の収納位置に移動可能に設けられた1つの排紙台と、
前記原稿台が前記第１の給紙位置に移動したことによって前記排紙台を前記第１の収納位置に移動させるとともに、前記原稿台が前記第２の給紙位置に移動したことによって前記排紙台を前記第２の収納位置に移動させる連動手段と、
を具備したことを特徴とする自動原稿送り装置。
【請求項２】
前記排紙台を前記プラテンガラスの上方に配置するとともに、前記プラテンガラス上で読み取られた原稿を表裏反転して前記排紙台に案内する排紙経路を備えたことを特徴とする請求項１に記載の自動原稿送り装置。
【請求項３】
前記連動手段は、前記排紙台の原稿排紙方向の端部を、前記原稿台上の原稿を前記反転搬送経路に取り込む原稿取り込み口に対して、上下方向に移動させるように構成したことを特徴とする請求項２に記載の自動原稿送り装置。
【請求項４】
前記排紙台は、原稿排紙方向下流側の一端部を支点として上下方向に回動自在に設けられ、前記排紙台の前記第１の収納位置は、前記原稿取り込み口よりも下方に、前記排紙台の他端部を回動させた位置であり、前記第２の収納位置は、前記原稿取り込み口よりも上方に、前記排紙台の他端部を回動させた位置であることを特徴とする請求項３に記載の自動原稿送り装置。
【発明の詳細な説明】
【０００１】
【産業上の利用分野】
この発明は、所定サイズの長手原稿が略全面を覆うように載置される画像読取領域を有するプラテンガラスを備え、該プラテンガラスの画像読取領域上に載置された原稿の画像を、該画像読取領域の長手方向に沿って読取走査するように構成された画像読取装置に、原稿を自動的に搬送して前記プラテンガラスの画像読取領域上に送り込むための自動原稿送り装置、及び、所定サイズの長手原稿が略全面を覆うように載置される画像読取領域を有するプラテンガラスを備え、該プラテンガラスの画像読取領域上に載置された原稿の画像を、該画像読取領域の長手方向に沿って読取走査するように構成された画像読取装置に、前記所定サイズより大きいサイズの原稿を自動的に搬送するための自動原稿送り方法に関する。
【０００２】
【従来の技術】
従来より、電子複写装置等の少なくとも画像読み取り機能を有する装置の、原稿が載置されるプラテンガラス上に、原稿を自動的に搬送するための自動原稿送り装置は、種々知られており、実用に供されている。また、従来より、オフィス等においてＡ３サイズのような大型サイズの原稿を複写できる電子複写装置が使われ出して来ているが、自動原稿送り装置もこれに対応すべくＡ３サイズのような大型サイズ原稿を自動送りすることが出来るように、大型に構成されたものが提供されている。
【０００３】
一方、近年、Ａ３サイズの２倍の大きさのＡ２サイズの原稿を複写する要請があり、これに対して、プラテンガラスの面積をＡ２サイズに対応させると余りにも大型化し過ぎて、設置スペースの点やコストの点で問題があるので、プラテンガラスをＡ３サイズのままに押えた電子複写装置を用いて、分割複写することが一般的に行われている。
【０００４】
具体的には、Ａ２サイズの原稿を、先ず、Ａ３サイズに相当する前半部分をＡ３サイズの用紙に複写し、次に、Ａ３サイズに相当する後半部分をＡ３サイズの用紙に同様に複写し、両者を継ぎ合わせて、Ａ２サイズの複写済み用紙を得るようにしたり、Ａ３サイズに相当する前半部分をＡ４サイズの用紙に約７０パーセントで縮小複写し、次に、Ａ３サイズに相当する後半部分をＡ４サイズの用紙に同様に約７０パーセントで縮小複写し、両者を継ぎ合わせて、Ａ３サイズの複写像を得るようにしている。また、近年実用に供されてき始めている所謂デジタル式電子複写装置を用いる場合、前半部分だけ画像読取して、この前半部分の画像情報を一旦メモリに記憶させておき、次に、後半部分を画像読取して、この後半部分の画像情報をメモリに記憶させて、両者を合成し、約７０パーセントに縮小した状態で、Ａ３サイズの用紙に複写させることも行われている。
【０００５】
【発明が解決しようとする課題】
しかしながら、従来構成の自動原稿送り装置においては、このような大型サイズの原稿を先ず前半部分だけ自動送りし、この前半部分の画像読取走査終了後、これの後半部分を自動送りして、この後半部分を画像読取させることの出来る構成が無く、このため、大型サイズの原稿をＡ３サイズのプラテンガラスを有する電子複写装置で複写する場合には、作業者が手で、Ａ２サイズの原稿の前半部分を先ずプラテンガラス上にセットし、これの複写動作（又は、画像読取走査）の完了後、大型サイズの原稿を手で動かして、これの後半部分をプラテンガラス上にセットしなければならず、その作業が面倒であり、解決が要望されている。
【０００６】
【発明の目的】
この発明は、上述した事情に鑑みて成されたもので、この発明の目的は、プラテンガラスの画像読取領域のサイズで規定される原稿サイズの２倍のサイズの原稿をプラテンガラスの画像読取領域上に自動的に搬送することの出来る自動原稿送り装置、及び、自動原稿送り方法を提供することである。
【０００７】
また、この発明の別の目的は、プラテンガラスの画像読取領域のサイズで規定される原稿サイズ以下のサイズの原稿を自動的にプラテンガラスの画像読取領域上に搬送ることができると共に、画像読取領域のサイズの２倍のサイズの原稿をもプラテンガラスの画像読取領域上に自動的に搬送することの出来る自動原稿送り装置、及び、自動原稿送り方法を提供することである。
【０００９】
【課題を解決するための手段】
この発明に係わる自動原稿送り装置は、プラテンガラスの上方の位置で原稿を載置する第１の給紙位置と画像読取装置の側方に突出する位置で原稿を載置する第２の給紙位置に移動可能に設けられた１つの原稿台と、第１の給紙位置に位置した原稿台に載置された原稿を、表裏反転して前記プラテンガラスの画像読取領域上に案内する反転搬送路と、第２の給紙位置に位置した原稿台に載置された原稿を、反転搬送路の途中に合流して、プラテンガラスの画像読取領域上に案内する搬入路と、反転経路からプラテンガラスに送られて読取走査が終了した原稿を収納するための第１の収納位置と搬入路からプラテンガラスに送られて読取走査が終了した原稿を収納するための第２の収納位置に移動可能に設けられた１つの排紙台と、原稿台が第１の給紙位置に移動したことによって排紙台を第１の収納位置に移動させるとともに、原稿台が第２の給紙位置に移動したことによって排紙台を第２の収納位置に移動させる連動手段と、を具備したことを特徴とする。
【００１６】
【実施例の説明】
以下に、この発明に係わる自動原稿送り装置の第１の実施例の構成を、添付図面を参照して詳細に説明する。
【００１７】
［デジタル式電子複写装置ＤＣの概略説明］
先ず、この実施例の自動原稿送り装置１０が取り付けられる画像読取装置の一例として適用されるデジタル式電子複写装置（以下、単に複写機と呼ぶ）ＤＣの構成を、図１及び図２を参照して概略的に説明する。
【００１８】
この複写機ＤＣは周知の構成であり、この実施例においては、複写機本体ＣＢの上面に、所定サイズとしてのＡ３サイズの原稿が横置状態で全面的に載置される画像読取領域を有するプラテンガラスＰＧ（図３に示す）を備えている。即ち、このプラテンガラスＰＧは、Ａ３サイズの原稿より僅かに大きいサイズを有するように形成されると共に、複写機本体ＣＢの上面に、操作者による操作位置に対して左右方向に横長に配設されている。そして、複写機本体ＣＢの上面のプラテンガラスＰＧよりも手前（正面）側の長辺部分に、コピー枚数やコピー濃度等の画像読取状態や複写状態を設定するためのコントロールパネルＣＰが配設されている。
【００１９】
そして、この複写機本体ＣＢ内には、図示していないが、プラテンガラスＰＧの画像読取領域上に載置された原稿の画像を光学的に読取走査するための読取走査機構と、この読取走査した画像情報を一旦記憶するメモリ部と、このメモリ部に記憶された画像情報に基づき、用紙上に読取画像を複写するための電子複写機構とが配設されている。尚、読取走査機構は、プラテンガラスＰＧの長手方向に沿って、プラテンガラスＰＧの画像読取領域上に載置された原稿の原稿面を読取走査するように構成されている。
【００２０】
尚、この複写機ＤＣを制御するコントロール部は、後述する自動原稿送り装置１０から原稿のプラテンガラスＰＧの画像読取領域上へのセット完了を示す読取走査許可信号が入力されるのを待って読取走査機構を駆動し、この読取走査機構における読取走査が完了すると、自動原稿送り装置１０に対して読取走査完了信号を出力するように構成されている。
【００２１】
［自動原稿送り装置１０の全体構成の概略説明］
図１及び図２に示すように、この第１の実施例の自動原稿送り装置１０は、複写機ＤＣの上面の後端縁に回動自在に取り付けられ、この複写機ＤＣの上面に配設されたプラテンガラスＰＧを全面的に覆う閉塞位置と、この閉塞位置から上方に回動され、プラテンガラスＰＧを全面的に開放する開放位置との間で回動自在に設定されている。
【００２２】
この自動原稿送り装置１０は図示するように閉塞位置にある状態で、この自動原稿送り装置１０の図中奥側に取り付けられた原稿台１２上に載置された少なくとも１枚の原稿を、自動的にプラテンガラスＰＧの画像読取領域上に取り込み搬送して複写動作に供し、この原稿の複写動作の終了に伴い原稿をプラテンガラスＰＧ上から取り出すように構成されている。一方、この自動原稿送り装置１０は、図示していないが開放位置にある状態で、複写動作が起動されても、何ら原稿搬送動作を実行しないように構成されている。
【００２３】
尚、上述した原稿台１２上には、Ａ３サイズの原稿が横置状態で、即ち、Ａ３サイズの原稿の長手方向をプラテンガラスＰＧの長手方向に一致させた状態で載置されると共に、このＡ３サイズの原稿の２倍のサイズであるＡ２サイズ（以下、「大型サイズ」と称する。）の原稿が縦置状態で、即ち、大型サイズの原稿の長手方向をプラテンガラスＰＧの長手方向に直行させた状態で載置されるように構成されている。尚、この原稿台１２上には、Ａ３サイズ以下の原稿が載置されるものであり、以下の説明においては、この原稿台１２上に載置される原稿としてのＡ３サイズ以下の原稿を「通常サイズ」の原稿と称することにする。
【００２４】
また、この第１の実施例においては、読取走査済みの原稿は、そのサイズが通常サイズである場合には、プラテンガラスＰＧからの取出動作に伴い、反転された状態で、自動原稿送り装置１０の装置本体１４の上面に規定された排紙台１６上に排紙され、そのサイズが大型サイズである場合には、プラテンガラスＰＧからの取出動作に伴い、ストレート状に取り出されて、本体１４の前面に形成された第１の排紙口１８から装置本体１４の手前側（即ち、操作位置側）に排紙されるように構成されている。
【００２５】
［自動原稿送り装置１０の構成の詳細説明］
｛装置本体１４の説明｝
この自動原稿送り装置１０は、図３に示すように、複写機ＤＣの上面後端縁に図示しないヒンジを介して取り付けられると共に、複写機ＤＣの上面全体を覆うことが出来る様に構成された装置本体１４を外装カバーとして備え、この装置本体１４の中央部には、左右側端が夫々開放された凹部２０が形成されている。即ち、この装置本体１４の前方部分１４Ｆと後方部分１４Ｒとは、共に中央部分（即ち、凹部２０の底面）より上方に突出した状態に形成されている。また、この装置本体１４の下面は、後述する搬送ベルトを収納する部分が開放されている。
【００２６】
この装置本体１４の後方部分（即ち、図中右側部分）１４Ｒの正面には、原稿取り込み口２２が形成されると共に、この原稿取り込み口２２に連通した状態で、上述した原稿台１２が着脱自在に取り付けられている。この原稿台１２は、取り付け状態において、図中右下がりの傾斜状態となるように設定されている。そして、上述した凹部２０の上面には、複写済みの通常サイズの原稿が排紙される排紙台１６が規定されている。また、この装置本体１４の前方部分１４Ｆの後面には、排紙台１６に臨んだ状態で、複写済みの大型原稿が排紙される第２の排紙口２４（図２に示す）が形成されている。
【００２７】
｛搬送機構２６の説明｝
一方、上述した装置本体１４内には、給紙台１２上に載置された原稿の画像を、プラテンガラスＰＬ上に取込搬送するための搬送機構２６が収納されている。以下に、この搬送機構２６の構成を説明する。
【００２８】
この搬送機構２６は、装置本体１４の後方部分１４Ｒ内に、給紙台１２の後方に位置すると共に、搬送路よりも僅かに上方に突出した状態で配設され、給紙台１２上に載置された原稿の先端が当接してその位置に保持するためのストッパ部材２８を備えている。また、このストッパ部材２８と給紙台１２の先端部との間には、回転に応じて原稿台１２上の原稿を下から順次ピックアップするためのピックアップローラ３０が配設されている。
【００２９】
そして、このストッパ部材２８の後方には、ピックアップローラ３０でピックアップされた原稿を１枚づつに分離するための分離機構３２が配設されている。この分離機構３２は、この実施例においては、搬送路の下方に配設された分離ローラ３２Ａと、搬送路の上方に配設され、分離ローラ３２Ａに所定の押圧力で圧接する分離パッド３２Ａとから構成されている。
【００３０】
一方、装置本体１４の下部には、プラテンガラスＰＧに圧接され、且つ、前方部分１４Ｆから後方部分１４Ｒまで延出した状態で、エンドレス走行される搬送ベルト３６が配設されている。この実施例においては、この搬送ベルト３６は、所謂キャタピラー状にその前端及び後端の下面が、プラテンガラスＰＧに対して所定角度で傾斜するように構成されている。
【００３１】
また、装置本体１４の後方部分１４Ｒ内には、分離機構３２で分離された原稿を搬送ベルト３６とプラテンガラスＰＧとの間の後方部分（図中右側部分）の間に表裏を反転させた状態で導くための反転搬送路３８が配設されている。この反転搬送路３８は、緩やかに湾曲され、互いに離間する一対の反転ガイド部材３８Ａ、３８Ｂから規定されている。この反転搬送路３８の中途部には、搬送途中の原稿のレジストを取るための（即ち、スキューを防止するための）レジストローラ対４０Ａ、４０Ｂが介設されている。
【００３２】
尚、上述したピックアップローラ３０、分離ローラ３２Ａ、搬送ベルト３６、及び一方のレジストローラ４０Ａは、図５に示す搬送モータ４２の駆動力を図示しない駆動力伝達機構を介して受けて、制御ユニット４４の制御のもとで夫々回転駆動されるように構成されている。
【００３３】
このように搬送機構２６は構成されているので、原稿台１２上に載置された原稿は、ピックアップローラ３０の回転に伴い後方に取り込まれ、分離機構３２により１枚づつに分離され、反転搬送路３８により表裏を反転された状態で搬送され、レジストローラ対３８Ａ、３８Ｂによりスキューを取られた状態で、搬送ベルト３６とプラテンガラスＰＧとの間に後方から入り込み、搬送ベルト３６の図中時計回りの走行に応じて、プラテンガラスＰＧの画像読取領域上を搬送されて、所定の画像読取位置まで搬送されることになる。
【００３４】
｛ゲート部材４６の説明｝
一方、装置本体１４の前方部分１４Ｆの下部には、上述した搬送ベルト３６の手前側に位置した状態で、プラテンガラスＰＧの画像読取領域上に位置して読取走査の終了した通常サイズの原稿を、搬送ベルト３６の図中時計方向の走行駆動に伴い、上述した第２の排紙口２４を介して排紙台１６上に排紙させる第１の位置（図３に示す位置）と、プラテンガラスＰＧの画像読取領域上に位置して前半部分の読取走査の終了した大型サイズの原稿を、搬送ベルト３６の図中時計方向の走行駆動に伴い、上述した第１の排紙口１８を介して手前側に搬送する第２の位置（図４に示す位置）との間で回動駆動されるゲート部材４６が切り替え手段として配設されている。
【００３５】
このゲート部材４６は、図示しない例えば電磁ソレノイドを駆動源として上述した第１の位置と第２の位置との間で回動駆動されるように構成されており、この駆動タイミングは、上述した制御ユニット４４により制御されている。
【００３６】
ここで、この実施例においては、ゲート部材４６は、第１の位置にある状態で、その先端が、複写機ＤＣの上面のプラテンガラスＰＧの直手前側に形成された凹部ＲＥ内に入り込み、プラテンガラスＰＧ上から搬送ベルト３６の走行に伴い、手前側に搬送されてきた通常サイズの原稿を掬い上げることが出来るように設定されている。尚、掬い上げられた通常サイズの原稿は、排紙ローラ４８の回転に伴い、排紙搬送路５０を通って、第２の排紙口２４を介して装置本体１４外に取り出され、排紙台１６上に排紙されることになる。
【００３７】
一方、ゲート部材４６は、第２の位置にある状態で、その先端が、複写機ＤＣの上面から上方に離間すると共に、搬送ベルト３６に当接して、プラテンガラスＰＧ上から搬送ベルト３６の走行に伴い、手前側に搬送されてきた大型サイズの原稿が、その下方をそのまま通過して、第１の排紙口１８に向かうことを許容するように設定されている。
【００３８】
即ち、この第１の実施例においては、搬送ベルト３６と、第１の位置にあるゲート部材４６と、排紙ローラ４８と、排紙搬送路５０とにより、通常サイズの原稿を排紙するための第１の排紙機構（手段）が規定され、搬送ベルト３６と、第２の位置にあるゲート部材４６とにより、大型サイズの原稿を排紙するための第２の排紙機構（手段）が規定されることになる。
【００３９】
尚、大型サイズの原稿の後半部分の画像読取走査が終了すると、搬送ベルト３６が更に時計方向に走行駆動して、大型サイズの原稿の排紙動作を実行することになるが、この排紙動作に伴い、複写機ＤＣの前面に取り付けた排紙トレイＤＴに受けられることになる。この排紙トレイＤＴは、通常サイズの原稿の複写時に邪魔にならないように、着脱自在に複写機ＤＣの前面に取り付けられている。
【００４０】
尚、この第１の実施例においては、大型サイズの原稿を排紙時に受けるための排紙トレイＤＴを設けることに限定される事無く、この排紙トレイＤＴを設けないでも良い。この場合、例えば、大型サイズの原稿の排紙時に、これの後端が、搬送ベルト３６とプラテンガラスＰＧとの間に挟持された状態で、搬送ベルト３６の走行を停止することにより、大型サイズの原稿が第１の排紙口１８から落下して、床上に落ちてしまうことが防止されることになるし、また、大型サイズの原稿の後端が、搬送ベルト３６とプラテンガラスＰＧとの間から抜け出た時点で、上述したゲート部材４６を第１の位置に復帰回動させ、これと複写機ＤＣの上面との間に大型サイズの原稿の後端を挟持して、排紙された大型サイズの原稿の第１の排紙口１８からの落下を防止することの出来るものである。
【００４１】
［自動原稿送り方法の説明］
以上のように構成される自動原稿送り装置１０における原稿の送り動作を、原稿のサイズ別に説明する。
【００４２】
｛通常サイズの原稿の送り動作の説明｝
複写機ＤＣのコントロールパネルＣＰ上に設置された例えば大型原稿の送りを指示する釦（図示せず）が押されていない状態において、通常サイズの原稿の送り動作を示す通常原稿送り制御信号（通常サイズ情報）が、複写機ＤＣ側の制御ユニットＣＵ（図５に示す）から自動原稿送り装置１０の制御ユニット４４に送られる。この制御ユニット４４は、通常原稿送り制御信号が入力されている状態で、電磁ソレノイドを消磁したままの状態に維持して、図３に示すように、ゲート部材４６を第１の位置に保持する。
【００４３】
この後、複写機ＤＣのコントロールパネルＣＰ上に設置された複写開始（又は実行）釦が押し込み駆動されることにより、複写機ＤＣ側の制御ユニットＣＵは原稿送り開始信号を出力し、自動原稿送り装置１０側の制御ユニット４４はこの原稿送り開始信号を受けて、上述したように搬送機構２６を駆動制御して、原稿台１２上の通常サイズの原稿を１枚だけプラテンガラスＰＧの画像読取領域上に搬送する。この通常サイズの原稿がプラテンガラスＰＧの画像読取領域上の所定の位置に搬送されたことが検出されると、制御ユニット４４は複写機ＤＣ側の制御ユニットＣＵに読取走査許可信号を出力する。この制御ユニットＣＵは、この読取走査許可信号を受けて所定の複写動作を実行し、所定サイズの用紙上に、原稿の画像を複写する。そして、制御ユニットＣＵは、原稿の読取走査の終了に伴い、読取走査完了信号を自動原稿送り装置１０側の制御ユニット４４に出力する。
【００４４】
そして、この制御ユニット４４は、読取走査完了信号を受けて、上述した第１の排紙機構を駆動して、プラテンガラスＰＧ上の原稿を排紙台１６上に排紙して、一連の原稿送り動作を終了する。
【００４５】
｛大型サイズの原稿の送り動作の説明｝
一方、上述した大型原稿の送りを指示する釦（図示せず）が押しこまれると、複写機ＤＣ側の制御ユニットＣＵは、大型サイズの原稿の送り動作を示す大型原稿送り制御信号（大型サイズ情報）を、自動原稿送り装置１０の制御ユニット４４に出力する。この制御ユニット４４は、大型原稿送り制御信号の入力に伴い、電磁ソレノイドを励磁して、図４に示すように、ゲート部材４６を第２の位置に移動させる。尚、以下の説明においては、大型サイズの原稿（即ち、Ａ２サイズの原稿）をＡ３サイズの用紙上に複写させるように設定されているものとする。即ち、複写機ＤＣにおいては、７０パーセントの複写縮小率が設定されているものとする。
【００４６】
この後、複写機ＤＣ側の制御ユニットＣＵからの上述した原稿送り開始信号の入力に伴い、自動原稿送り装置１０側の制御ユニット４４は上述したように搬送機構２６を駆動制御して、原稿台１２上の大型サイズの原稿をプラテンガラスＰＧの画像読取領域上に搬送する。この大型サイズの原稿の前半部分がプラテンガラスＰＧの画像読取領域上の所定の位置に搬送されたことが検出されると、制御ユニット４４は複写機ＤＣ側の制御ユニットＣＵに第１回目の読取走査許可信号を出力する。この制御ユニットＣＵは、この第１回目の読取走査許可信号を受けて読取走査を実行し、図示しないメモリ部に、この大型原稿の前半部分の読取画像情報を一旦記憶する。
【００４７】
そして、制御ユニットＣＵは、大型サイズの原稿の前半部分の読取走査の終了に伴い、第１回目の読取走査完了信号を自動原稿送り装置１０側の制御ユニット４４に出力する。この制御ユニット４４は、第１回目の読取走査完了信号を受けて、上述した搬送機構２６を再び駆動制御して、大型サイズの原稿を更に手前側に搬送する。この大型サイズの原稿の後半部分がプラテンガラスＰＧの画像読取領域上の所定の位置に搬送されたことが検出されると、制御ユニット４４は複写機ＤＣ側の制御ユニットＣＵに第２回目の読取走査許可信号を出力する。この制御ユニットＣＵは、この第２回目の読取走査許可信号を受けて読取走査を実行し、図示しないメモリ部に、この大型原稿の後半部分の読取画像情報を一旦記憶する。
【００４８】
そして、制御ユニットＣＵは、大型サイズの原稿の前半部分の読取画像情報と、後半部分の読取画像情報とを合成して、７０パーセントに縮小した状態でＡ３サイズの用紙上に、複写させる。また、制御ユニットＣＵは、大型サイズの原稿の後半部分の読取走査の終了に伴い、第２回目の読取走査完了信号を自動原稿送り装置１０側の制御ユニット４４に出力する。この制御ユニット４４は、第２回目の読取走査完了信号を受けて、上述した第２の排紙機構を駆動して、プラテンガラスＰＧ上の原稿を排紙トレイＤＴ上に排紙して、一連の原稿送り動作を終了する。
【００４９】
このように、この一実施例の自動原稿送り装置１０によれば、プラテンガラスＰＧの面積で規定される複写サイズ（例えば、Ａ３サイズ）の２倍のサイズ（例えば、Ａ２サイズ）を有する大型サイズの原稿を、先ずこれの前半部分をプラテンガラスＰＧの画像読取領域上に搬送し、次に、これの後半部分をプラテンガラスＰＧの画像読取領域上に搬送するようにして自動的に搬送することが出来ることになるので、夫々の画像を順次読取走査した後に、１枚の用紙上に合成した状態で自動的に複写することを許容することが出来、従来の手作業により大型原稿をプラテンガラスＰＧの画像読取領域上にセットしていたのと比較して、その作業性が極めて向上することになる。
【００５０】
【他の実施例の説明】
この発明は、上述した第１の実施例の構成に限定される事無く、この発明の要旨を逸脱しない範囲で種々変形可能であることは言うまでもない。以下に、この発明の第２の実施例及び第３の実施例に係わる自動原稿送り装置の構成及び動作を説明する。尚、以下の説明において、上述した第１の実施例と同一部分については、同一符号を付してその説明を省略する。
【００５１】
【第２の実施例の説明】
先ず、この発明に係わる自動原稿送り装置の第２の実施例の構成を、添付図面の図６乃至図１２を参照して説明する。
【００５２】
この第２の実施例の自動原稿送り装置１０′においては、上述した第１の実施例の自動原稿送り装置１０の構成と比較して、
（１）原稿台１２が装置本体１４の前方部分１４Ｆの後側面に取り付けられており、ここに載置された原稿は、一旦、手前側に取り込まれた後、プラテンガラスＰＧの画像読取領域上に搬送される：
（２）原稿台１２上には、通常サイズの原稿のみが載置され、大型サイズの原稿は、第１の排紙口１８と兼用の手差し挿入口から手差し挿入される：
（３）原稿台１２に載置された通常サイズの原稿は、搬送ベルト３６の図中反時計方向のみの走行に伴い、原稿取込時も原稿排紙時も共に図中反時計方向の一方向のみに搬送されるが、手差し挿入口１８から手差し挿入された大型サイズの原稿は、原稿取込時には搬送ベルト３６の図中反時計方向の走行に伴いプラテンガラスＰＧの画像読取領域上に搬送されるが、原稿排紙時には、搬送ベルト３６の図中時計方向の走行に伴い、第１の排紙口１８から排紙される。即ち、搬送ベルト３６を走行駆動する搬送モータ４２は可逆転可能に構成されている：の以上３点において、大きく異なっている。
【００５３】
詳細には、この第２の実施例の自動原稿送り装置１０′では、図６に示すように、上述した第１の実施例の自動原稿送り装置１０とは対称的に、原稿取り込み口２２は装置本体１４の前方部分１４Ｆの後面に形成されており、第２の排紙口２４は装置本体１４の後方部分１４Ｒの前面に形成されている。
【００５４】
一方、図７に示すように、上述した第１の排紙口１８の直上方には、これに連接された状態で手差し挿入口５２が形成されており、この手差し挿入口５２はカバー部材５４により開放可能に閉塞されている。即ち、このカバー部材５４はその下端で回動自在に軸支されており、手前側に回動させることにより、図８に示すように、手差し挿入口５２は開放されるようになされている。
【００５５】
この手差し挿入口５２の内方には、手差しされた大型サイズの原稿を取り込むためのピックアップローラ５６と、これに転接する圧接ローラ５８が配設されており、これらローラ対５６、５８の転接部の出口と、上述した反転搬送路３８の下部との間には、手差し搬入路６０が介設されている。
【００５６】
ここで、この手差し搬入路６０は、反転搬送路３８の外側のガイド部材３８Ｂの下部に形成された連通孔の上端縁に連接される上側ガイド部材６０Ａと、この連通孔の下端縁に連接されると共に、上側ガイド部材６０Ａ及び複写機本体ＣＢの上面から夫々原稿が挿通するに充分な距離だけ離間する状態で配設された下側ガイド部材６０Ｂとから構成されている。尚、下側ガイド部材６０Ｂと複写機本体ＣＢの上面との間から、複写済みの大型サイズの原稿が搬出される手差し搬出路６２が規定されている。
【００５７】
尚、反転搬送路３８を規定する外側のガイド部材３８Ｂの下端は、プラテンガラスＰＧの端部の直上方に原稿が通過するに充分な間隙を有して離間した状態で終端しており、原稿読取走査の終了した大型サイズの原稿を排紙する際に、この原稿の手前側端部が、このガイド部材３８Ｂと複写機本体ＣＢの上面との間に確実に入り込むように構成されている。
【００５８】
また、上述したローラ対５６、５８の直前には、手差し挿入口５２に原稿が挿入されたことを検出する検出センサ６４が配設されている。この検出センサ６４は詳細は図示していないが、周知のフォトインタラプタから構成され、一対の発光素子と受光素子との間に原稿が挿入され、両者の間が光学的に遮断されることにより、手差し原稿挿入信号を複写機ＤＣ側の制御ユニットＣＵに出力するように構成されている。
【００５９】
ここで、この第２の実施例においては、検出センサ６４が原稿サイズを判別する判別手段として設けられている。即ち、複写機ＤＣ側の制御ユニットＣＵは、検出センサ６４からの手差し原稿挿入信号を大型サイズ情報として受け、この手差し原稿挿入信号が入力されている状態において、自動原稿送り装置１０′で搬送する原稿のサイズを大型サイズとして認識するように設定されている。一方、この制御ユニットＣＵは、検出センサ６４から手差し原稿挿入信号が出力されていない状態において、通常サイズ情報を受けているものと判断し、自動原稿送り装置１０′で搬送する原稿のサイズを通常サイズとして認識するように設定されている。
【００６０】
［第２の実施例の自動原稿送り方法の説明］
以上のように構成される自動原稿送り装置１０′における原稿の送り動作を、原稿のサイズ別に説明する。
【００６１】
｛通常サイズの原稿の送り動作の説明｝
この通常サイズの原稿の送り動作に関しては、図７に示す状態において、上述した第１の実施例における原稿の送り動作と、搬送ベルト３６の走行方向が反対である点を除き、同一であるので、ここでの説明を省略する。
【００６２】
｛大型サイズの原稿の送り動作の説明｝
一方、カバー部材５４を図８に示すように回動して、手差し挿入口５２を開放させた状態で、回動されたカバー部材５４の上面をガイドにして、大型サイズの原稿が手差し挿入口５２に手差し挿入され、検出センサ６４が手差し原稿挿入信号を出力すると、複写機ＤＣ側の制御ユニットＣＵは、所定時間経過後、例えば、約２〜３秒の経過後、大型サイズの原稿の送り動作を示す大型原稿送り制御信号（大型サイズ情報）を、自動原稿送り装置１０′の制御ユニット４４に出力する。この制御ユニット４４は、大型原稿送り制御信号の入力に伴い、ピックアップローラ５６を回転駆動する。尚、以下の説明においては、第１の実施例の場合と同様に、大型サイズの原稿をＡ３サイズの用紙上に複写させるように設定されているものとする。即ち、複写機ＤＣにおいては、７０パーセントの複写縮小率が設定されているものとする。
【００６３】
また、自動原稿送り装置１０′側の制御ユニット４４は、ピックアップローラ５６の回転駆動を開始すると共に、上述したように搬送機構２６を駆動制御して、搬送ベルト３６を図中反時計回りに走行駆動する。このようにして、手差し挿入口５２に手差し挿入された大型原稿は、ピックアップローラ５６の回転及び搬送ベルト３６の走行に伴い、後側に向けて搬送される。
【００６４】
この大型サイズの原稿の前半部分がプラテンガラスＰＧの画像読取領域上の所定の位置に搬送されたことが検出されると、制御ユニット４４は複写機ＤＣ側の制御ユニットＣＵに第１回目の読取走査許可信号を出力する。この制御ユニットＣＵは、この第１回目の読取走査許可信号を受けて読取走査を実行し、図示しないメモリ部に、この大型原稿の前半部分の読取画像情報を一旦記憶する。
【００６５】
そして、制御ユニットＣＵは、大型サイズの原稿の前半部分の読取走査の終了に伴い、第１回目の読取走査完了信号を自動原稿送り装置１０側の制御ユニット４４に出力する。この制御ユニット４４は、第１回目の読取走査完了信号を受けて、上述した搬送機構２６を再び駆動制御して、大型サイズの原稿を更に後側に向けて搬送する。この状態で、大型サイズの原稿の前半部分は、第２の排紙口２４を介して、排紙台１６上に一時的に排出されることになる。
【００６６】
この大型サイズの原稿の後半部分がプラテンガラスＰＧの画像読取領域上の所定の位置に搬送されたことが検出されると、制御ユニット４４は複写機ＤＣ側の制御ユニットＣＵに第２回目の読取走査許可信号を出力する。この制御ユニットＣＵは、この第２回目の読取走査許可信号を受けて読取走査を実行し、図示しないメモリ部に、この大型サイズの原稿の後半部分の読取画像情報を一旦記憶する。
【００６７】
そして、制御ユニットＣＵは、大型サイズの原稿の前半部分の読取画像情報と、後半部分の読取画像情報とを合成して、７０パーセントに縮小した状態でＡ３サイズの用紙上に、複写させる。また、制御ユニットＣＵは、大型サイズの原稿の後半部分の読取走査の終了に伴い、第２回目の読取走査完了信号を自動原稿送り装置１０側の制御ユニット４４に出力する。この制御ユニット４４は、第２回目の読取走査完了信号を受けて、搬送ベルト３６を今度は図中時計方向に走行駆動して、プラテンガラスＰＧ上の原稿を手差し搬出路６２を通って、第１の排紙口１８を介して装置本体１４外に排紙して、一連の原稿送り動作を終了する。
【００６８】
尚、この第２の実施例においては、排紙された大型サイズの原稿を、第１の実施例と同様に複写機本体ＣＢの正面に着脱自在に取り付けられた排紙トレイＤＴ上に排出しても良いし、また、この排紙トレイＤＴを設けないで、例えば、大型サイズの原稿の排紙時に、これの後端が、搬送ベルト３６とプラテンガラスＰＧとの間に挟持された状態で、搬送ベルト３６の走行を停止することにより、大型サイズの原稿が第１の排紙口１８から落下して、床上に落ち内容に構成しても良い。
【００６９】
このように、この第２の実施例の自動原稿送り装置１０′によれば、第１の実施例の場合と同様に、大型サイズの原稿を自動的に搬送して、複写機ＤＣにおいてこれを２分割した状態で複写することが出来ることになるが、第１の実施例の場合と比較して、大型サイズの原稿を手差し挿入しなければならない制約はあるが、一般的に言って、Ａ２サイズのような大型の原稿を複数枚一度に複写することは稀であるので、問題の有るような制約であるとは言えない。却って、通常サイズの原稿も大型サイズの原稿も、共に、第１の実施例と比較して手前側でセットすることが出来ることとなり、原稿セットの作業性が向上する効果を奏することが出来るものである。
【００７０】
［第２の実施例の第１の変形例の説明］
上述した第２の実施例においては、大型サイズの原稿が手差し挿入される手差し挿入口５２と、画像読取走査済みの大型サイズの原稿が排紙される第１の排紙口１８とは別々に設けられるように説明したが、この実施例はこのような構成に限定される事無く、両者を共通な状態で設けることも出来るものである。
【００７１】
以下に、手差し挿入口５２と第１の排紙口１８とを共通に設けた第１の変形例の構成を、添付図面の図９乃至図１１を参照して説明する。尚、以下の説明において、上述した第１の実施例及び第２の実施例と同一部分には、同一符号を付してその説明を省略する。
【００７２】
この第１の変形例においては、上述した第２の実施例における手差し挿入口５２と第１の排紙口１８とが共通化された手差し口６６が形成され、第２の実施例と同様にカバー部材５４により開放可能に閉塞されている。また、上述した手差し搬入路６０は、ここを通って大型サイズの原稿が排出されることになるので、この第１の変形例においては、手差し搬送路６０として規定されることになる。
【００７３】
一方、反転搬送路３８の外面を規定する外側のガイド部材３８Ｂは、上述した第２の実施例においてはその説明を省略したストッパ板ＳＴの直上方で終端し、この端縁に、手差し搬送路６０の上面を規定する上側ガイド部材６０Ａが連接されている。
【００７４】
尚、このストッパ板ＳＴは、図９に示すように、その後端がプラテンガラスＰＧよりも僅かに上方に突出すると共に、その前端が、下側ガイド部材６０Ｂよりも下方に落ち込んだ第１の揺動位置と、図１１に示すように、その後端がプラテンガラスＰＧよりも下方に落ち込むと共に、その前端が、下側ガイド部材６０Ｂと略面一になされた第２の揺動位置との間で、揺動自在に複写機本体ＣＢの上面に取り付けられている。このストッパ板ＳＴは、複写機本体ＣＢ側に設けた駆動源により揺動駆動されても良いし、また、自動原稿送り装置１０′側に設けた駆動源により揺動駆動されるようにしても良い。
【００７５】
また、上述した反転搬送路３８と手差し搬送路６０との合流部には、上述した第一の実施例において用いたと同様なゲート部材４６が配設されている。即ち、このゲート部材４６は、図９に示すように、反転搬送路３８を開放し手差し搬送路６０を閉塞する第１の位置と、図１０及び図１１に示すように、反転搬送路３８を閉塞し手差し搬送路６０を開放する第２の位置との間で、回動自在に軸支されている。
【００７６】
このように構成される第２の実施例の自動原稿送り装置１０′の第１の変形例においては、通常サイズの原稿を搬送する場合には、図９に示すように、ゲート部材４６は第１の位置にもたらされると共に、ストッパ板ＳＴは第１の揺動位置にもたらされる。この結果、原稿台１２に載置された通常サイズの原稿は、反転搬送路３８を通ってプラテンガラスＰＧの画像読取領域上に搬送されることになる。
【００７７】
一方、大型サイズの原稿が手差しされた場合には、図１０に示すように、ストッパ板ＳＴは第１の揺動位置に保持された状態で、ゲート部材４６が第２の位置に回動駆動される。これにより、手差し口６６を介して手差し挿入された大型サイズの原稿は、上述した第２の実施例の場合と同様にして、ピックアップローラ５６の回転に伴い、手差し搬送路６０を介してプラテンガラスＰＧの画像読取領域上に搬送されることになる。
【００７８】
また、プラテンガラスＰＧの画像読取領域上で、その後半部分の原稿画像の読取走査が終了した大型サイズの原稿を排出する際においては、図１１に示すように、ゲート部材４６は第２の位置に保持されたままの状態で、今度は、ストッパ板ＳＴが第２の揺動位置に揺動駆動される。これにより、プラテンガラスＰＧ上の大型サイズの原稿は、搬送ベルト３６の図中時計回りの走行駆動に応じて、ストッパ板ＳＴの上面をガイドされ、手差し搬送路６０を手前側に搬送されて、手差し口６６から排紙されることになる。
【００７９】
［第２の実施例の第２の変形例の説明］
また、上述した第２の実施例においては、原稿台１２から取り込まれた通常サイズの原稿のスキューを取るためのレジストローラ対４０Ａ、４０Ｂと、手差し挿入された大型サイズの原稿を取り込むためのピックアップローラ対５６、５８とを別々に備えるように説明したが、この実施例はこのような構成に限定される事無く、両者を共通化した状態で備えることが出来るものである。
【００８０】
以下に、両者を共通化した場合の構成を、図１２を参照して、第２の実施例の第２の変形例として説明する。
【００８１】
即ち、この第２の変形例においては、図１２に示すように、手差し挿入口５４は、レジストローラ対４０Ａ、４０Ｂの配設位置よりも上方に形成されている。そして、基端部が手差し挿入口５４に開口した手差し搬入路６０の上側ガイド部材６０Ａは、反転搬送路３８の外側のガイド部材３８Ｂの、レジストローラ対４０Ａ、４０Ｂの直上方に形成された連通孔の上端縁に連接され、下側ガイド部材６０Ｂはこの連通孔の下端縁に連接されている。尚、手差し搬出路６２は、反転搬送路３８の外側ガイド部材３８Ｂの下端に連接されたガイド部材６２Ａと、複写機本体ＣＢの上面との間で規定されている。
【００８２】
尚、手差し搬入路６０と反転搬送路３８との合流部には、常時、反転搬送路３８に形成された連通孔を閉塞し、反転搬送路３８から搬送されてくる原稿が手差し搬入路６０に入り込むのを禁止すると共に、手差し搬入路６０を搬送されてくる原稿により開放可能な例えばマイラーシートから形成された第１のゲートシート６８が配設されており、また、手差し搬出路６２と反転搬送路３８との合流部には、常時、反転搬送路３８を閉塞し、プラテンガラスＰＧ上から排出されてくる原稿が反転搬送路３８に入り込むのを禁止すると共に、この反転搬送路３８を搬送されてくる原稿により開放可能な例えばマイラーシートから形成された第２のゲートシート７０が配設されている。
【００８３】
このように第２の実施例を第２の変形例に示すように構成することにより、上述した第２の実施例と同様な効果を奏することが出来ると共に、ピックアップローラ５６及びこれに転接する圧接ローラ５８を配設しなくても済むこととなり、その構成が簡略化され、コストの低廉化を達成することが出来ることになる。
【００８４】
［第２の実施例の第３の変形例の説明］
また、上述した第２の実施例においては、原稿台１２は装置本体１４の前方部分１４Ｆに固定した状態で取り付けられるように説明したが、この実施例はこのような構成に限定される事無く、装置本体１４の前方部分に回動自在に取付、この装置本体１４の開閉に応じて、この原稿台１２上に載置した原稿が落下しないように、略水平状態を維持するように、前方部分１４Ｆに対して相対的に回動駆動されるように構成しても良い。
【００８５】
以下に、原稿台１２を可動にした場合の構成を、図１３及び図１４を参照して、第２の実施例の第３の変形例として説明する。
【００８６】
即ち、この第３の変形例においては、原稿台１２はその前方端部において装置本体１４の前方部分１４Ｆに支軸７２を介して回動自在に軸支されてている。そして、この原稿台１２の基端部（前方端部）の一側からは、連結片７４が前下方に斜めに延出するように一体的に取り付けられている。一方、装置本体１４は、その後端部において複写機本体ＣＢの上面の後方端部に支軸７６を介して回動自在に軸支されている。
【００８７】
ここで、この支軸７６から所定距離だけオフセットされた位置（符号Ｘで示す）と、上述した連結片７４の先端位置（符号Ｙで示す）とは、連結ロッド７８により常に一定の距離だけ離間するように互いに連結されている。尚、この連結ロッド７８の長さは、図１４に示すように、装置本体１４がプラテンガラスＰＧ上に位置する閉塞位置にある状態において、先端（前方端）がやや上方に偏位した傾斜状態を維持するように設定されている。
【００８８】
このように、この第３の変形例の自動原稿送り装置は構成されているので、例えばこの自動原稿送り装置における原稿送り動作中において原稿の紙詰まり等が生じて、この装置本体１４を開放して開放位置まで回動させる場合においても、原稿台１２は装置本体１４の前方部分１４Ｆに対して相対的に回転して、略水平状態を維持することになる。この結果、原稿台１２上に原稿が載置されたままの状態で、この装置本体１４を閉塞位置から開放位置まで回動したとしても、原稿台１２上の原稿は、ここから落下する事無く、安定した状態でこの原稿台１２上に載置され続けることになる。
【００８９】
【第３の実施例の説明】
次に、この発明に係わる自動原稿送り装置の第３の実施例の構成を、添付図面の図１５及び図１６を参照して説明する。
【００９０】
この第３の実施例の自動原稿送り装置１０″においては、上述した第１の実施例の自動原稿送り装置１０の構成と比較して、
（１）原稿台１２が装置本体１４の前方部分１４Ｆに取り付けられており、ここに載置された原稿は、一旦、前方部分１４Ｆ内に取り込まれた後、プラテンガラスＰＧの画像読取領域上に搬送される：
（２）原稿台１２は、装置本体１４の上方に位置する後方位置と、装置本体１４の前方に突出する前方位置との間で移動自在に軸支されている。後方位置にある原稿台１２上には、通常サイズの原稿が載置され、前方位置にある原稿台１２上には、大型サイズの原稿が載置される：
（３）排紙台１６は可動に設けられ、装置本体１４の上面上に略密着する下方位置と、この上面の上方に持ち上げられた上昇位置との間で回動自在に軸支されている。通常サイズの原稿を排出する際には、排紙台１６は下方位置に保持され、大型サイズの原稿を排出する際には、排紙台１６は上方位置にもたらされる：の以上３点において、大きく異なっている。
【００９１】
詳細には、この第３の実施例の自動原稿送り装置１０″では、図１５に示すように、通常サイズの原稿用の原稿取り込み口２２は、上述した第１の実施例の自動原稿送り装置１０とは異なり、第２の実施例の自動原稿送り装置１０′と同様に、装置本体１４の前方部分１４Ｆの後面に形成されている。また、大型サイズの原稿を手差し挿入するための手差し挿入口５２は、第２の実施例とは異なり、前方部分１４Ｆの後面に形成されている。
【００９２】
尚、この第３の実施例においては、第２の排紙口２４は、通常サイズの原稿及び大型サイズの原稿の共通の排紙口として規定されており、装置本体１４の後方部分１４Ｒの前面に形成されている。即ち、この第３の実施例においては、第１の排紙口１８は形成されていない。
【００９３】
一方、図１６に示すように、上述した原稿台１２は、装置本体１４の前方部分１４Ｆに、移動自在に取り付けられており、詳細には、装置本体１４の上方に位置する後方位置と、装置本体１４の前方に突出する前方位置との間で回動自在に軸支されている。ここで、後方位置にある移動式原稿台１２（図１６において、符号１２Ａで示す）上には、通常サイズの原稿が載置され、前方位置にある移動式原稿台１２（図１６において、符号１２Ｂで示す）上には、大型サイズの原稿が載置される様に設定されている。尚、前方位置にある移動式原稿台１２上に通常サイズの原稿を載置して、これを手差し挿入するようにしても良いものである。
【００９４】
また、この第３の実施例においては、反転搬送路３８のレジストローラ対４０Ａ、４０Ｂの直上方部分と、上述した手差し挿入口５２との間には、手差し搬入路６０が介設されている。この手差し搬入路６０の中途部には、第２の実施例と同様に、ピックアップローラ５６及びこれに転接する圧接ローラ５８が配設されている。尚、手差し搬入路６０と反転搬送路３８との合流部には、常時、反転搬送路３８に形成された連通孔を閉塞し、手差し搬入路６０から搬送されてくる原稿が反転搬送路３８に入り込むのを禁止すると共に、反転搬送路３８を搬送されてくる原稿により開放可能な例えばマイラーシートから形成されたゲートシート８０が配設されている。
【００９５】
ここで、この第３の実施例においては、上述したように、排紙台１６は可動に設けられ、この可動排紙台１６の前端が、装置本体１４の上面上に略密着する下方位置と、この上面の上方に持ち上げられた上昇位置との間で回動自在なように、後方部分１４Ｒの基端部に軸支されている。この可動排紙台１６の下方には、これを下方位置と上昇位置との間で回動駆動するための回動機構７４が配設されている。この回動機構８２は、駆動モータ８４と、この駆動モータ８４のモータ軸に固定された駆動ギヤ８６と、基端部を装置本体１４の上面に回動自在に軸支されると共に、この基端部に駆動ギヤ８６と噛合する従動ギヤ８８が固定された回動レバー９０と、この回動レバー９０の先端に回転自在に取り付けられ、可動排紙台１６の下面に転接する押上ローラ９２とを備えて構成されている。
【００９６】
この回動機構８２は、上述した制御ユニット４４の制御のもとで駆動制御されるように構成されており、移動式原稿台１２が後方位置にあると図示しない第１の検出センサにより検出されると、即ち、通常サイズの原稿を排出する際には、制御ユニット４４は駆動モータ８４を駆動制御して、可動排紙台１６を下方位置にもたらし、移動式原稿台１２が前方位置にあると図示しない第２の検出センサにより検出されると、即ち、大型サイズの原稿を排出する際には、駆動モータ８４を駆動制御して、可動排紙台１６を上方位置にもたらすように制御する。
【００９７】
尚、上述した可動排紙台１６の上昇位置は、図１６に示すように、これにより押し上げられる可動排紙台１６の先端が、装置本体１４の前方部分１４Ｆに形成された原稿取込口２２よりも上方に位置するように設定されている。これにより、排紙口２４より排出された大型サイズの原稿が、原稿取込口２２から再び前方部分１４Ｆ内に取り込まれてしまうことが確実に防止されることになる。
【００９８】
一方、通常サイズの原稿を排出する際においては、移動式原稿台１２が後方位置にあり、且つ、可動排紙台１６が下方位置にあるので、排出される原稿は、この移動式原稿台１２と可動排紙台１６との間に入り込み、これにより、下方位置にある可動排紙台１６上に確実に排紙されることになる。
【００９９】
このように第３の実施例の自動原稿送り装置１０″を構成することにより、上述した第２の実施例における効果と同様な効果を奏することが出来ると共に、第２の実施例とは異なり、大型サイズの原稿を排紙台１６上に排出することが出来ることになる。また、上述した第１の実施例と同様に、搬送機構２６における搬送モータ４２を可逆転に構成する必要はない。
【０１００】
【他の変形例の説明】
上述した実施例の説明において、この発明に係わる自動原稿送り装置が取り付けられる画像読取装置の一例として電子複写装置が適用される場合に就き説明したが、この発明はこのような適用に限定される事無く、画像読取装置として、例えば、スキャナーや電子ファクシミリ装置等の画像読取機能を有する装置が適用されることになることは言うまでもない。
【０１０１】
また、上述した実施例の説明において、電子複写装置としてデジタル式電子複写装置ＤＣが適用されるように説明したが、この発明は、このような適用に限定される事無く、例えば、デジタル式でない通常の電子複写装置に適用することが出来るものである。この場合、この自動原稿送り装置により自動的にプラテンガラス上に搬送されたＡ２サイズの大型サイズの原稿の前半部分が先ず所定サイズの用紙上に複写され、次にプラテンガラス上に搬送されたこの原稿の後半部分が所定サイズの用紙上に複写されることになる。即ち、Ａ２サイズの大型サイズの原稿を、２枚の用紙に分割した状態で自動的に複写する場合にも、この発明の自動原稿送り装置を適用することが出来るものである。
【０１０２】
また、上述した実施例の説明において、大型サイズの原稿としてＡ２サイズの原稿を、また、通常サイズの原稿としてＡ３サイズ以下の原稿を適用する場合に就き説明したが、この発明は、このような適用に限定される事無く、通常サイズの原稿とは、この自動原稿送り装置が取り付けられる画像読取装置のプラテンガラスの画像読取領域内で規定されるサイズを意味し、大型サイズとは、このプラテンガラスの画像読取領域により規定されるサイズの原稿よりも大きなサイズを意味している。
【０１０３】
以上詳述したように、第１の実施例に示した自動原稿送り装置は、所定サイズの長手原稿が略全面を覆うように載置される画像読取領域を有するプラテンガラスを備え、プラテンガラスの画像読取領域上に載置された原稿の画像を、画像読取領域の長手方向に沿って読取走査するように構成された電子複写装置に、原稿を自動的に搬送してプラテンガラスの画像読取領域上に送り込むための自動原稿送り装置において、原稿を、画像読取領域の長手方向に直交する方向に沿って搬送して、プラテンガラスの画像読取領域上に送り込むための搬送手段と、原稿が、所定サイズの２倍の大型サイズである場合に、搬送手段を駆動して、大型サイズの原稿の前半部分をプラテンガラスの画像読取領域上まで送り込ませ、前半部分の画像読取走査の終了後、搬送手段を駆動して、大型サイズの原稿の後半部分をプラテンガラスの画像読取領域上まで送り込ませる制御手段とを具備する。
【０１０４】
さらに、制御手段は、大型サイズの原稿の後半部分の画像読取走査の終了後、搬送手段を駆動して、大型サイズの原稿をプラテンガラス上から排紙させる。
【０１０５】
さらに、制御手段は、原稿が、所定サイズの２倍の大型サイズである場合に、搬送手段を駆動して、大型サイズの原稿の前半部分をプラテンガラスの画像読取領域上まで送り込み、電子複写装置に対して第１回目の読取走査許可信号を出力し、電子複写装置からの第１回目の読取走査完了信号を受けて、搬送手段を駆動して、大型サイズの原稿の後半部分をプラテンガラスの画像読取領域上まで送り込み、電子複写装置に対して第２回目の読取走査許可信号を出力し、電子複写装置からの第２回目の読取走査完了信号を受けて、搬送手段を駆動して、大型サイズの原稿をプラテンガラス上から排紙させる。
【０１０６】
また、第１の実施例に示した自動原稿送り方法は、所定サイズの長手原稿が略全面を覆うように載置される画像読取領域を有するプラテンガラスを備え、プラテンガラスの画像読取領域上に載置された原稿の画像を、画像読取領域の長手方向に沿って読取走査するように構成された電子複写装置に、所定サイズの２倍の大型サイズの原稿を自動的に搬送するための自動原稿送り方法において、大型サイズの原稿を、画像読取領域の長手方向に直交する方向に沿って搬送させ、大型サイズの原稿の前半部分をプラテンガラスの画像読取領域上まで送り込む第１の工程と、前半部分の画像読取走査の終了後、大型サイズの原稿の後半部分をプラテンガラスの画像読取領域上まで送り込ませる第２の工程とを具備する。
【０１０７】
さらに、後半部分の画像読取走査の終了後、大型サイズの原稿をプラテンガラス上から排紙させる第３の工程を更に具備する。
【０１０８】
さらに、第１の工程は、大型サイズの原稿の前半部分をプラテンガラスの画像読取領域上まで送り込む工程と、大型サイズの原稿の前半部分がプラテンガラスの画像読取領域上に送り込まれた後に、電子複写装置に対して第１回目の読取走査許可信号を出力する工程とを含み、第２の工程は、電子複写装置からの第１回目の読取走査完了信号を受けて、大型サイズの原稿の後半部分をプラテンガラスの画像読取領域上まで送り込む工程と、大型サイズの原稿の後半部分がプラテンガラスの画像読取領域上に送り込まれた後に、電子複写装置に対して第２回目の読取走査許可信号を出力する工程とを含み、さらに第３の工程は、電子複写装置からの第２回目の読取走査完了信号を受けて、大型サイズの原稿をプラテンガラス上から排紙させる工程とを含む。
【０１０９】
また、実施例１に示す自動原稿送り装置は、所定サイズの長手原稿が略全面を覆うように載置される画像読取領域を有するプラテンガラスを備え、プラテンガラスの画像読取領域上に載置された原稿の画像を、画像読取領域の長手方向に沿って読取走査するように構成された電子複写装置に、原稿を自動的に搬送してプラテンガラスの画像読取領域上に送り込むための自動原稿送り装置において、プラテンガラスを覆う閉塞位置と、プラテンガラスを開放する開放位置との間で回動自在に、電子複写装置の上面に取り付けられる本体と、この本体に取り付けられ、所定サイズ以下の通常サイズの原稿が載置されると共に、所定サイズの２倍の大型サイズの原稿がその長手方向を画像読取領域の長手方向に直交させた状態で載置される載置手段と、本体に取り付けられ、載置手段に載置された原稿を、画像読取領域の長手方向に直交する方向に沿って搬送して、プラテンガラスの画像読取領域上に送り込むための搬送手段と、読取走査の終了した通常サイズの原稿を、本体の上面に排紙させる第１の排紙手段と、読取走査の終了した大型サイズの原稿を、本体の側方に排紙させる第２の排紙手段とを具備することを特徴としている。
【０１１０】
さらに、読取走査の終了した通常サイズの原稿を、搬送手段の駆動に伴い、本体の上面に排紙させる第１の位置と、読取走査の終了した大型サイズの原稿を、搬送手段の駆動に伴い、本体の側方に排紙させる第２の位置との間で切り替えられる切り替え手段とを具備する。
【０１１１】
さらに、切り替え手段は、第１の位置と第２の位置との間で回動自在に配設された切り替えゲートと、原稿が通常サイズである場合に、切り替えゲートを第１の位置にもたらし、原稿が大型サイズである場合に、切り替えゲートを第２の位置にもたらす切り替え駆動手段とを備える。
【０１１２】
さらに、自動原稿送り装置本体は、その後端縁で、電子複写装置の上面後端縁に回動自在に軸支されている。
【０１１３】
さらに、プラテンガラスは、操作位置に対して左右方向横向きに設置され、載置手段は、本体の後部に取り付けられ、原稿面を上向きに原稿が載置される原稿台を備え、原稿は、原稿台上から一旦奥側に向けて取込搬送され、Ｕ字状に表裏を反転された状態でプラテンガラスの画像読取領域上に搬送される。
【０１１４】
さらに、大型サイズの原稿は、読取操作の終了を後、操作位置に向けて手前側に排紙される。
【０１１５】
また、実施例２に示した自動原稿送り装置は、所定サイズの長手原稿が略全面を覆うように載置される画像読取領域を有するプラテンガラスを備え、プラテンガラスの画像読取領域上に載置された原稿の画像を、画像読取領域の長手方向に沿って読取走査するように構成された電子複写装置に、原稿を自動的に搬送してプラテンガラスの画像読取領域上に送り込むための自動原稿送り装置において、プラテンガラスを覆う閉塞位置と、プラテンガラスを開放する開放位置との間で回動自在に、電子複写装置の上面に取り付けられると共に、所定サイズの２倍の大型サイズの原稿がその長手方向を画像読取領域の長手方向に直交させた状態で手差しされる挿入される手差し挿入口が形成された本体と、この本体に取り付けられ、所定サイズ以下の通常サイズの原稿が載置される載置手段と、本体に取り付けられ、載置手段に載置された通常サイズの原稿又は手差し挿入口を介して挿入された大型サイズの原稿を、画像読取領域の長手方向に直交する方向に沿って搬送して、プラテンガラスの画像読取領域上に送り込むための搬送手段と、読取走査の終了した通常サイズの原稿を、本体の上面に排紙させる第１の排紙手段と、読取走査の終了した大型サイズの原稿を、本体の側方に排紙させる第２の排紙手段とを具備する。
【０１１６】
さらに、読取走査の終了した通常サイズの原稿を、搬送手段の駆動に伴い、本体の上面に排紙させる第１の位置と、読取走査の終了した大型サイズの原稿を、搬送手段の駆動に伴い、本体の側方に排紙させる第２の位置との間で切り替えられる切り替え手段とを具備する。
【０１１７】
さらに、切り替え手段は、第１の位置と第２の位置との間で回動自在に配設された切り替えゲートと、原稿のサイズが、通常サイズである場合に、切り替えゲートを第１の位置にもたらし、大型サイズである場合に、切り替えゲートを第２の位置にもたらす切り替え駆動手段とを備え、押圧部材と切り替えゲートとは、同一部材から構成されている。
【０１１８】
また、実施例２に示した自動原稿送り装置は、所定サイズの長手原稿が略全面を覆うように載置される画像読取領域を有するプラテンガラスを備え、プラテンガラスの画像読取領域上に載置された原稿の画像を、画像読取領域の長手方向に沿って読取走査するように構成された電子複写装置に、原稿を自動的に搬送してプラテンガラスの画像読取領域上に送り込むための自動原稿送り装置において、プラテンガラスを覆う閉塞位置と、プラテンガラスを開放する開放位置との間で回動自在に、電子複写装置の上面に取り付けられると共に、所定サイズの２倍の大型サイズの原稿がその長手方向を画像読取領域の長手方向に直交させた状態で手差しされる挿入される手差し挿入口が形成された本体と、この本体に取り付けられ、所定サイズ以下の通常サイズの原稿が載置される載置手段と、本体に取り付けられ、載置手段に載置された通常サイズの原稿又は手差し挿入口を介して挿入された大型サイズの原稿を、画像読取領域の長手方向に直交する方向に沿って搬送して、プラテンガラスの画像読取領域上に送り込むための搬送手段と、原稿をプラテンガラスの画像読取領域上に送り込む際には、原稿のサイズに拘り無く、所定の方向に沿って搬送されるように搬送手段を駆動し、原稿をプラテンガラスから排紙する際には、原稿のサイズが通常サイズである場合には、所定の方向に沿って搬送して、本体の上面に排紙されるように、また、大型サイズである場合には、所定の方向とは反対方向に沿って搬送して、手差し挿入口から排紙されるように、搬送手段を駆動制御する制御手段とを具備する。
【０１１９】
さらに、自動原稿送り装置本体は、その後端縁で、画像読取装置の上面後端縁に回動自在に軸支されている。
【０１２０】
さらに、プラテンガラスは、操作位置に対して左右方向横向きに設置され、載置手段は、自動原稿送り装置本体の前部に取り付けられ、原稿面を上向きに原稿が載置される原稿台を備え、原稿は、原稿台上から一旦操作位置に向けて手前側に取込搬送され、Ｕ字状に表裏を反転された状態でプラテンガラスの画像読取領域上に搬送される。
【０１２１】
さらに、大型サイズの原稿を排紙する際に、その排紙方向後端を所定の押圧力で係止する係止手段を具備する。
【０１２２】
さらに、係止手段は、大型サイズの原稿の排紙方向後端を、プラテンガラス上に所定押圧力で押し付けて係止させる押圧部材を備える。
【０１２３】
また、第３の実施例に示した自動原稿送り装置は、所定サイズの長手原稿が略全面を覆うように載置される画像読取領域を有するプラテンガラスを備え、プラテンガラスの画像読取領域上に載置された原稿の画像を、画像読取領域の長手方向に沿って読取走査するように構成された画像読取装置に、原稿を自動的に搬送してプラテンガラスの画像読取領域上に送り込むための自動原稿送り装置において、プラテンガラスを覆う閉塞位置と、プラテンガラスを開放する開放位置との間で回動自在に、画像読取装置の上面に取り付けられる本体と、本体に、本体の上面の上方に位置する第１の位置と、本体の側方に突出する第２の位置との間で可動に取り付けられ、所定サイズ以下の通常サイズの原稿が載置されると共に、所定サイズの２倍の大型サイズの原稿がその長手方向を画像読取領域の長手方向に直交させた状態で載置される原稿台と、原稿台が第１の位置にある場合に、原稿台に載置された原稿を、画像読取領域の長手方向に直交する方向に沿って搬送して、プラテンガラスの画像読取領域上に送り込むための第１の搬送手段と、原稿台が第２の位置にある場合に、原稿台に載置された原稿を、画像読取領域の長手方向に直交する方向に沿って搬送して、プラテンガラスの画像読取領域上に送り込むための第２の搬送手段と、本体の上面上に配設され、読取走査の終了した原稿が排紙される排紙トレイとを具備する。
【０１２４】
さらに、第１の位置にある原稿台には、通常サイズの原稿が載置され、第２の位置にある原稿台には、大型サイズの原稿が載置される。
【０１２５】
さらに、排紙トレイは、本体に対して可動に取り付けられ、原稿台が第１の位置にある場合には、本体の上面に近接した退避位置にもたらされ、原稿台が第２の位置にある場合には、退避位置から上方に回動した位置にもたらされる。
【０１２６】
また、実施例１に示した自動原稿送り装置は、所定サイズの長手原稿が略全面を覆うように載置される画像読取領域を有するプラテンガラスを備え、プラテンガラスの画像読取領域上に載置された原稿を、画像読取領域の長手方向に沿って読取走査するように構成された画像読取装置に、原稿を自動的に搬送してプラテンガラスの画像読取領域上に送り込むための自動原稿送り装置において、原稿を、画像読取領域の長手方向に直交する方向に沿って搬送して、プラテンガラスの画像読取領域上に送り込むための搬送手段と、原稿のサイズが、所定サイズよりも小さい通常サイズであることを示す通常サイズ情報がもたらされた場合には、原稿が連続的に搬送されるように搬送手段を駆動制御し、所定サイズより大きな大型サイズであることを示す大型サイズ情報がもたらされた場合には、搬送手段を間欠的に駆動制御する制御手段とを具備する。
【０１２７】
さらに、通常サイズの原稿が取り込まれる原稿取込口からプラテンガラス上に通常サイズの原稿を搬送する搬入路とプラテンガラスから第１の排紙口まで画像読取済みの通常サイズの原稿を排出する第１の排紙路とを備えた第１の搬送経路と、搬入路とプラテンガラスから第２の排紙口まで画像読取済みの大型サイズの原稿を排出する第２の排紙路とを備える第２の搬送経路を具備する。
【０１２８】
また、実施例２に示した自動原稿送り装置は、所定サイズの長手原稿が略全面を覆うように載置される画像読取領域を有するプラテンガラスを備え、プラテンガラスの画像読取領域上に載置された原稿を、画像読取領域の長手方向に沿って読取走査するように構成された画像読取装置に、原稿を自動的に搬送してプラテンガラスの画像読取領域上に送り込むための自動原稿送り装置において、原稿を、画像読取領域の長手方向に直交する方向に沿って搬送して、プラテンガラス上に送り込むための搬送手段と、原稿のサイズが、所定サイズよりも小さい通常サイズであることを示す通常サイズ情報がもたらされた場合には、原稿を第１の搬送路を介して搬送し、所定サイズより大きな大型サイズであることを示す大型サイズ情報がもたらされた場合には、原稿を第２の搬送路を介して搬送させる制御手段とを具備する。
【０１２９】
さらに、制御手段は、原稿のサイズが、所定サイズよりも小さい通常サイズであることを示す通常サイズ情報がもたらされた場合には、搬送手段を連続的に駆動して原稿を第１の搬送路を介して搬送し、所定サイズより大きな大型サイズであることを示す大型サイズ情報がもたらされた場合には、搬送手段を間欠的に駆動して原稿を第２の搬送路を介して搬送させる。
【０１３０】
さらに、第１の搬送路は、通常サイズの原稿が取り込まれる原稿取込口からプラテンガラス上に通常サイズの原稿を搬送する搬入路と、プラテンガラスから第１の排紙口まで画像読取済みの通常サイズの原稿を排出する第１の排紙路とを備え、第２の搬送路は、大型サイズの原稿が手差し挿入される手差し挿入口からプラテンガラス上に大型サイズの原稿を搬送する手差し搬送路と、プラテンガラスから第２の排紙口まで画像読取済みの大型サイズの原稿を排出する第２の排紙路とを備える。
【０１３１】
さらに、原稿のサイズを判別する判別手段を備え、この判別手段は、判別した原稿サイズが通常サイズである場合に、制御手段に通常サイズ情報を出力し、判別した原稿サイズが大型サイズである場合に、制御手段に大型サイズ情報を出力する。
【０１３２】
さらに、判別手段は、手差し挿入口に原稿が挿入されたことを検出する手差しセンサを備え、この手差しセンサは、ここに原稿が挿入されていない状態において、通常サイズ情報を制御手段に出力し、ここに原稿が挿入される状態において、大型サイズ情報を制御手段に出力する。
【０１３３】
さらに、第２の排紙口は、手差し挿入口と共通に形成されている。
【０１３４】
また、実施例３の自動原稿送り装置では、大型サイズの原稿が載置される第１の位置と、通常サイズの原稿が載置される第２の位置の間で移動可能に配設された原稿台を具備し、上記の判別手段は、この原稿台の位置を検出する原稿台センサを備え、この原稿台センサは、原稿台が第１の位置にある場合に、大型サイズ情報を制御手段に出力し、原稿台が第２の位置にある場合に、通常サイズ情報を制御手段出力する。
【０１３５】
上述の実施例によれば、プラテンガラスのサイズで規定される原稿サイズの２倍のサイズの原稿をプラテンガラスの画像読取領域上に自動的に搬送することの出来る。
【０１３６】
また、プラテンガラスのサイズで規定される原稿サイズ以下のサイズの原稿を自動的にプラテンガラスの画像読取領域上に搬送ることができると共に、プラテンガラスのサイズの２倍のサイズの原稿をもプラテンガラスの画像読取領域上に自動的に搬送することの出来る。
【０１３７】
さらに、プラテンガラスのサイズで規定される原稿サイズの２倍のサイズの原稿を、半分にわけて分割した状態でプラテンガラスの画像読取領域上に順次自動的に搬送することの出来る。
【０１３８】
【図面の簡単な説明】
【図１】この発明に係わる自動原稿送り装置の第１の実施例を画像読取装置に取り付けた構成の正面側からの外観を、概略的に示す斜視図である。
【図２】図１に示す構成の後方側からの外観を、概略的に示す斜視図である。
【図３】図１及び図２に示す自動原稿送り装置の内部構造を、ゲート部材が第１の位置にある状態で、一部破断した状態で示す縦断面図である。
【図４】図１及び図２に示す自動原稿送り装置の内部構造を、ゲート部材が第２の位置にある状態で、一部破断した状態で示す縦断面図である。
【図５】第１の実施例における制御系を概略的に示すブロック図である。
【図６】この発明に係わる自動原稿送り装置の第２の実施例の外観構成を、概略的に示す斜視図である。
【図７】図６に示す自動原稿送り装置の要部の内部構成を、カバー部材が閉塞された状態で、一部判断した状態で示す縦断面図である。
【図８】図６に示す自動原稿送り装置の要部の内部構成を、カバー部材が開放された状態で、一部判断した状態で示す縦断面図である。
【図９】第２の実施例の自動原稿送り装置の第１の変形例の要部の内部構成を、通常サイズの原稿を搬入している状態で示す縦断面図である。
【図１０】図９に示す自動原稿送り装置の要部の内部構成を、手差し挿入された大型サイズの原稿を搬入している状態で示す縦断面図である。
【図１１】図９に示す自動原稿送り装置の要部の内部構成を、読取走査の終了した大型サイズの原稿を搬出している状態で示す縦断面図である。
【図１２】第２の実施例の自動原稿送り装置の第２の変形例の要部の内部構成を示す縦断面図である。
【図１３】第２の実施例の自動原稿送り装置の第３の変形例の厚生を概略的に示す平面図である。
【図１４】図１３に示す自動原稿送り装置の、原稿台の回動機構を概略的に示す側面図である。
【図１５】この発明に係わる自動原稿送り装置の第３の実施例の外観構成を、概略的に示す斜視図である。
【図１６】図１３に示す自動原稿送り装置の内部構造を、一部破断した状態で示す縦断面図である。
【符号の説明】
ＣＢ＆ｎｂｓｐ；＆ｎｂｓｐ；＆ｎｂｓｐ；  複写機本体
ＣＰ＆ｎｂｓｐ；＆ｎｂｓｐ；＆ｎｂｓｐ；  コントロールパネル
ＤＣ＆ｎｂｓｐ；＆ｎｂｓｐ；＆ｎｂｓｐ；  デジタル式電子複写装置（複写機）
ＤＴ＆ｎｂｓｐ；＆ｎｂｓｐ；＆ｎｂｓｐ；  排紙トレイ
ＰＧ＆ｎｂｓｐ；＆ｎｂｓｐ；＆ｎｂｓｐ；  プラテンガラス
ＲＥ＆ｎｂｓｐ；＆ｎｂｓｐ；＆ｎｂｓｐ；  凹部
ＳＴ＆ｎｂｓｐ；  ＆ｎｂｓｐ；＆ｎｂｓｐ；ストッパ板
１０（１０′、１０″）＆ｎｂｓｐ；＆ｎｂｓｐ；＆ｎｂｓｐ；  自動原稿送り装置
１２＆ｎｂｓｐ；＆ｎｂｓｐ；＆ｎｂｓｐ；  原稿台
１４＆ｎｂｓｐ；＆ｎｂｓｐ；＆ｎｂｓｐ；  装置本体
１４Ｆ＆ｎｂｓｐ；＆ｎｂｓｐ；＆ｎｂｓｐ；  前方部分
１４Ｒ＆ｎｂｓｐ；＆ｎｂｓｐ；＆ｎｂｓｐ；  後方部分
１６＆ｎｂｓｐ；＆ｎｂｓｐ；＆ｎｂｓｐ；  排紙台
１８＆ｎｂｓｐ；＆ｎｂｓｐ；＆ｎｂｓｐ；  第１の排紙口
２０＆ｎｂｓｐ；＆ｎｂｓｐ；＆ｎｂｓｐ；  凹部
２２＆ｎｂｓｐ；＆ｎｂｓｐ；＆ｎｂｓｐ；  原稿取り込み口
２４＆ｎｂｓｐ；＆ｎｂｓｐ；＆ｎｂｓｐ；  第２の排紙口
２６＆ｎｂｓｐ；＆ｎｂｓｐ；＆ｎｂｓｐ；  搬送機構
２８＆ｎｂｓｐ；＆ｎｂｓｐ；＆ｎｂｓｐ；  ストッパ部材
３０＆ｎｂｓｐ；＆ｎｂｓｐ；＆ｎｂｓｐ；  ピックアップローラ
３２＆ｎｂｓｐ；＆ｎｂｓｐ；＆ｎｂｓｐ；  分離機構
３２Ａ＆ｎｂｓｐ；＆ｎｂｓｐ；＆ｎｂｓｐ；  分離ローラ
３２Ｂ＆ｎｂｓｐ；＆ｎｂｓｐ；＆ｎｂｓｐ；  分離パッド
３６＆ｎｂｓｐ；＆ｎｂｓｐ；＆ｎｂｓｐ；  搬送ベルト
３８＆ｎｂｓｐ；＆ｎｂｓｐ；＆ｎｂｓｐ；  反転搬送路
３８Ａ；３８Ｂ＆ｎｂｓｐ；＆ｎｂｓｐ；＆ｎｂｓｐ；  反転ガイド部材
４０Ａ；４０Ｂ＆ｎｂｓｐ；＆ｎｂｓｐ；＆ｎｂｓｐ；  レジストローラ対
４２＆ｎｂｓｐ；＆ｎｂｓｐ；＆ｎｂｓｐ；  搬送モータ
４４＆ｎｂｓｐ；＆ｎｂｓｐ；＆ｎｂｓｐ；  制御ユニット
４６＆ｎｂｓｐ；＆ｎｂｓｐ；＆ｎｂｓｐ；  ゲート部材
４８＆ｎｂｓｐ；＆ｎｂｓｐ；＆ｎｂｓｐ；  排紙ローラ
５０＆ｎｂｓｐ；＆ｎｂｓｐ；＆ｎｂｓｐ；  排紙搬送路
５２＆ｎｂｓｐ；＆ｎｂｓｐ；＆ｎｂｓｐ；  手差し挿入口
５４＆ｎｂｓｐ；＆ｎｂｓｐ；＆ｎｂｓｐ；  カバー部材
５６＆ｎｂｓｐ；＆ｎｂｓｐ；＆ｎｂｓｐ；  ピックアップローラ
５８＆ｎｂｓｐ；＆ｎｂｓｐ；＆ｎｂｓｐ；  圧接ローラ
６０＆ｎｂｓｐ；＆ｎｂｓｐ；＆ｎｂｓｐ；  手差し搬入路
６０Ａ＆ｎｂｓｐ；＆ｎｂｓｐ；＆ｎｂｓｐ；  上側ガイド部材
６０Ｂ＆ｎｂｓｐ；＆ｎｂｓｐ；＆ｎｂｓｐ；  下側ガイド部材
６２＆ｎｂｓｐ；＆ｎｂｓｐ；＆ｎｂｓｐ；  手差し搬出路
６４＆ｎｂｓｐ；＆ｎｂｓｐ；＆ｎｂｓｐ；  検出センサ
６６＆ｎｂｓｐ；＆ｎｂｓｐ；＆ｎｂｓｐ；  手差し口
６８＆ｎｂｓｐ；＆ｎｂｓｐ；＆ｎｂｓｐ；  第１のゲートシート
７０＆ｎｂｓｐ；＆ｎｂｓｐ；＆ｎｂｓｐ；  第２のゲートシート
７２＆ｎｂｓｐ；＆ｎｂｓｐ；＆ｎｂｓｐ；  支軸
７４＆ｎｂｓｐ；＆ｎｂｓｐ；＆ｎｂｓｐ；  連結片
７６＆ｎｂｓｐ；＆ｎｂｓｐ；＆ｎｂｓｐ；  支軸
７８＆ｎｂｓｐ；＆ｎｂｓｐ；＆ｎｂｓｐ；  連結ロッド
８０＆ｎｂｓｐ；＆ｎｂｓｐ；＆ｎｂｓｐ；  ゲートシート
８２＆ｎｂｓｐ；＆ｎｂｓｐ；＆ｎｂｓｐ；  回動機構
８４＆ｎｂｓｐ；＆ｎｂｓｐ；＆ｎｂｓｐ；  駆動モータ
８６＆ｎｂｓｐ；＆ｎｂｓｐ；＆ｎｂｓｐ；  駆動ギヤ
８８＆ｎｂｓｐ；＆ｎｂｓｐ；＆ｎｂｓｐ；  従動ギヤ
９０＆ｎｂｓｐ；＆ｎｂｓｐ；＆ｎｂｓｐ；  回動レバー
９２＆ｎｂｓｐ；＆ｎｂｓｐ；＆ｎｂｓｐ；  押上ローラ
【図１】
0003561025.tif 000002
【図２】
0003561025.tif 000003
【図３】
0003561025.tif 000004
【図４】
0003561025.tif 000005
【図５】
0003561025.tif 000006
【図６】
0003561025.tif 000007
【図７】
0003561025.tif 000008
【図８】
0003561025.tif 000009
【図９】
0003561025.tif 000010
【図１０】
0003561025.tif 000011
【図１１】
0003561025.tif 000012
【図１２】
0003561025.tif 000013
【図１３】
0003561025.tif 000014
【図１４】
0003561025.tif 000015
【図１５】
0003561025.tif 000016
【図１６】
0003561025.tif 000017